(57)【要約】【課題】  紐の一端側に設けた輪形内に、他端側の紐を通して折返し方向に引っ張るだけで、新聞や雑誌の束や箱などの荷を、簡単にしかも、しっかりとしばることができる結束具及びその結束具に用いる結束補助体の提供を目的とする。【解決手段】  荷造用の紐の一端側を折返して、その一部を二重に形成した紐体の二重部分を通すための貫通穴を設けた結束補助体を形成した。  この結束補助体の貫通穴から突出した二重部分が形成する輪形内に、荷の外周囲を巻廻した状態での紐の他端側を通すと共に、この通した紐体の他端側を折返し方向に引っ張ると、前記輪形が縮小して紐体を固着するようにした。このような結束具によれば、紐の両端を結ぶことなく結束が可能である。【選択図】図１
2008155993.tif 000002
【特許請求の範囲】
【請求項１】
荷造用の紐の一端側を折返して、その一部を二重に形成した紐体と、
この紐体の前記二重部分を通すための貫通穴を設けた結束補助体とからなり、
この結束補助体の貫通穴から突出した前記紐体の二重部分が形成する輪形内に、荷の外周囲を巻廻した状態で前記紐体の他端側を通すと共に、通した紐体を折返し方向に引くと、前記輪形が縮小して結束することを特徴とする結束具。
【請求項２】
荷造用の紐の一端を折返して、その一部を二重に形成した紐体と、
この紐体の前記紐体の二重部分を通すための貫通穴を設けた結束補助体とからなり、
この結束補助体に設けた前記貫通穴に、紐体の前記二重部分を貫通させた結束補助体付の前期紐体を十字状に配置して、その交点を移動可能な状態で接合したことを特徴とする十字形の結束具。
【請求項３】
荷造用の紐の一端を折返して二重に形成して、この二重部分の紐を通すための貫通穴を有すると共に、この貫通穴に通した紐の終端部が、その位置から抜け出さないように設定する抜け防止手段を設けた結束補助体。
【請求項４】
荷造用の紐の一端を折返して二重に形成して、この二重部分の紐を通すための貫通穴を有すると共に、この貫通穴に通した紐の終端部が、その位置から抜け出さないように設定する止孔を設けた結束補助具。
【発明の詳細な説明】
【技術分野】
【０００１】  本発明は、紐の一端に設けた輪形内に、他端側の紐を通して引くことにより、結束するように改善した結束具及びその結束具に用いる結束補助体に関する。
【背景技術】
【０００２】  本発明の従来例としては、十字状に形成した紐を、新聞ストッカーと組合せて用いることにより、新聞古紙や雑誌の束に巻廻して結ぶ新聞古紙、雑誌、雑誌結束紐がある。（例えば特許文献１参照）
また、平行に配置した２本の紙紐と、直交する方向に配置した紙紐のそれぞれの交点を固定すると共に、この固定部と一定の間隔で離間した位置に、輪形よりなる締め込み部を各紐に１対で設けた新聞紙しばり紐がある。
この新聞紙しばり紐も新聞紙の束に巻廻すと共に、これらの紐は自身の紐に設けた１対の締め込み部に少なくとも１、５往復させて、新聞紙の束をしっかり締め込んでから、各紐の両端同士を結んで用いるものである。
（例えば特許文献２参照）
【特許文献１】  実用新案登録第３０９２４４５号公報（第４頁、図５）
【特許文献２】  特開２００１−６３７５３号公報（第２頁、図３）
【発明の開示】
【発明が解決しようとする課題】
【０００３】  特許文献１に示す新聞古紙、雑誌、雑誌結束具は、先の出願した自身の新聞ストッカーと組合せ使用することによって、新聞の束を持ち上げることなく結束できるものであり、単独の使用では一般的な紐と同じである。更に、これらの十字状の紐の両端は、従来と同様に結ぶ作業が必要である。
特許文献２に示す新聞紙しばり紐は、新聞紙の束をしっかりとしばることはできるが、３本の紐と６ヶ所の締め込み部が必要であり構成が複雑であること、しっかりしばるために締め込み部の輪形内を、何度も通さなければならない欠点があった。
更にそれぞれの紐の端同士を結ぶ必要があって、作業も面倒であるという欠点があった。
従って、特許文献２で示すものは、新聞紙の束に巻き廻したあとは、必ず紐の両端同士を結ばなければならなかった。
紐の両端同士を結ぶ方式は、結ぶ作業中に紐がゆるみ易い欠点がある。締付手段を設けた特許文献２で示す例も、紐の両端を結ぶ時にゆるみ易くて、しっかり締付けても結ぶ途中でゆるんでしまうという大きな欠点があった。
本発明は、このような欠点を解消するためになされたものであり、紐の一端側に設けた輪形内に、他端側の紐を通して折り返す方向に引っ張るだけで、新聞や雑誌の束や箱などの荷を簡単にしかも、しっかりとしばることができる結束具及びその結束具に用いる結束補助体の提供を目的とする。
【発明を解決するための手段】
【０００４】  上記不具合を解消するために、本発明は次のような構成としている。
請求項１に記載した結束具は、荷造用の紐の一端側を折返して、その一部を二重に形成した紐体の前記二重部分を通すための貫通穴を設けて結束補助体とした。
この結束補助体の貫通穴から突出した二重部分が形成する輪形内に、荷の外周囲を巻廻した状態の紐の他端側を通すと共に、通した紐体の先端部を折返し方向に引っ張ると、前記輪形が縮小して結束するようにした。
請求項２に記載した結束具は、請求項１に記載した結束具を十字状に配置して、その交点が移動可能な状態となるように接合することで、荷を縦、横の二方向からしっかりと結べるようにして結束具とした。
請求項３に記載した結束補助体は、請求項１及び請求項２に記載した結束補助体に、貫通穴から通した紐体の二重部分の終端部が、抜け出さないように、抜け防止手段を設けることで結束補助体とした。
このような結束補助体によれば、紐を通して折り返し方向に引っ張るだけで荷造りすることができるものである。
請求項４に記載した結束補助体は、請求項３に記載した結束補助体に止孔を設けることで、二重に形成した紐体の終端部が抜け出さないように抜け防止手段としたものである。
この止孔は二重形成部分の紐の終端部を通すものである。
【発明の効果】
【０００５】  本発明によれば、従来例で説明したように、紐の両端を結ぶ作業が不要となるばかりでなくて、紐の一端側に設けた輪形内に、紐の他端側を通してから折返し方向に引っ張るだけで、荷造りができる。
また折返し方向に紐の先端部を引っ張ることは、荷をしっかりとしばった状態に設定することでもあり、その状態のまま荷造りを完了することができた。
結束補助体を模様形に形成すると、荷造り用だけでなく贈答用品などのように、他の荷造り用にも使用することができる等の効果を得ることができた。
【発明を実施するための最良の形態】
【０００６】  本発明について、図面を参照して説明する。図１は本発明の結束具を示す一部破断斜視図、図２は図１の分解斜視図、図３は図１の使用例を示す説明図、図４は図３の結束途中を示す説明図、図５は図４の完了状態を示す説明図である。
図１で示すように本発明の結束具１０は、荷造りが可能な紐体１２と、この紐体１２の一端側を掛止させる結束補助体２０とからなる。
紐体１２の一端には、結束補助体２０からの抜け防止手段１４を設けており、結束補助体２０の一面側に輪形１５を形成するようにして組合せしている。
このような紐体１２と結束補助体２０とについて、更に詳細に説明する。
紐体１２は、図２で示すように、図１で示した抜け防止手段１４としての結び目１５を紐の一端に設けると共に、この結び目を設けた側の端部を折り返し１３することで紐体１２の一端を二重に設定する。
この二重部分を、板状の結束補助体２０を形成する補助体本体２１に設けた貫通穴２２に補助体本体２１の一方の面から挿入して、他方の面上に図１で示した輪形１５を形成することにより結束具１０としている。【０００７】  このように構成した結束具１０の使用例について図面を参照して説明する。
図３で示すように結束具１０は、荷１の外周囲に巻廻して用いるものである。荷１は新聞紙や本などを束ねるものであったり、箱体が開かないようにしばる必要のある荷であったりする。
しばり方としては、結束補助体２０の設けられていない側の紐体の端部を、結束補助体２０上に設けられた輪形１５内に通してから、図３や図４の矢印Ａで示す折返し方向に引っ張るだけである。
矢印Ａ方向に紐を引くと、図４で示すように紐体１２全体が図中の矢印方向に移動して荷１を締付けることになる。更にＡ方向に引くと輪形１５が図５で示すようにだんだん小さくなり、小さな輪形が紐体を補助体本体２１上で動かないように締付けることになって結束することができる。
従って輪形１５を通した紐体１２を、折返し方向に引っ張るだけで荷造りが完了するものであり紐の両端を結ぶことがないので、結束の途中にゆるむ機会が全くない。逆に締付けることでより強力に結束することが出来る作用を持っている。
このような紐体１２と結束補助体２０は、例えば荷が古新聞や雑誌などであれば、同じ材質である紙製を用いれば、再生紙などを作るときに荷造りしたままの状態で処理できるから、ほどいて分別する必要がなく便利である。【０００８】  本発明の他の例について、図面を参照して説明する。図６は本発明の他の例の結束具を示す一部破断斜視図である。
図６で示すように、本発明の他の例で示す結束具３０は、図１で示した結束具１０を２本で１対とし、その中間部に結び目３６を設けたものである。
１対の結束具１０は図１で示したものと全く同じであり、１方の紐体１２の色を他方の紐体の色と異ならせている。一見してその違いが判明するなら、色は同色でも材質などを変える構成でも良い。
このように構成した結束具３０を使用する場合は、同色の紐体が一直線状となるように、十字状に配置させた結び目３６上に、図示しない荷を乗せて縦、横方向をそれぞれの結束具１０で、前述例と同様にしばるものである。
このように結束具１０の２組を、結び目３６によって一体化して用いると、それぞれの結束具が位置決めされているので、一方向に片寄ってしばることがない。
また、形や大きさの異なる荷に用いる場合は、結び目３６をゆるくしておき、都合の良い位置に結び目３６を移動させて用いることもできる。
尚、それぞれの結束具１０の紐体１２の色や材質を変えた理由は、十字状に配置した結束具が、一直線状に配置されていることをわかり易くするためである。
例えば、祝いごとの荷に用いる場合は、赤白に区別することでも良い。【０００９】  本発明の結束具に用いる結束補助体の他の例について、図面を参照して説明する。図７は第２実施例の結束補助体と紐体の取付状態を示す説明図、図８は図７の紐体を取付ける他の例を示す説明図である。
図７で示すように、本発明の第２実施例で示す結束補助体５０は、板状よりなる補助体本体５１に、前述例と同様の貫通穴５２を設けると共に、その一辺に紐体４０の抜け防止手段５４を設けている。
この抜け防止手段５４は、Ｖ字状に設けた差込み５５と、この差込みの終端部に設けた小孔よりなる止孔５６よりなる。差込み５５は紐体４０を直交する方向に通過させると共に、通過した紐体４０を止孔５６に嵌合させて、その移動を阻止する。従って、差込み５５は紐体を嵌合させる止孔５６に導く案内溝であり、これらの差込み５５と止孔５６とで、抜け防止手段５４としているものである。
このように形成した結束補助体５０には、図７の図中において、点線で示すように紐体４０を取付ける。すなわち、結束補助体５０の一方の面から、折曲して輪形４５を形成した紐体４０を貫通穴５２に通すと共に、紐体４０の端部を抜け防止手段５４を用いて、止孔５６に嵌合することで取付ける。
尚、この止孔５６は、紐体４０の太さよりも小さくすることはもちろんであり、貫通穴５２に関しては、紐体４０が移動可能であることは前述例と同様である。【００１０】  尚、この結束補助体５０と紐体４０との取付けは、図７で示した例の他に、図８で示すような例もあってこれについて説明する。
図８で示す結束補助体５０は、図７の例と同じであるからその説明は省略し、紐体４０の取付例についてのみ説明する。
図８の点線で示すように、紐体４０の一端を二重にして、結束補助体５０に設けた貫通穴５２に紐体を通すことは、図７で示した例と同じである。
図７の例では、結束補助体５０の図中の裏面側から、紐体４０を貫通穴５２に通して、その表面側に輪形４５を形成すると共に、貫通穴５２を通過していない二重に形成した紐体４０の端部を、図中の裏面側から止孔５６に挿入している。
しかし、図８で示す例では、輪形を形成した終端部を、図中の裏面側から表面側に配設すると共に、結束補助体５０の表面側から裏面側に向って、その終端部を止孔５６に嵌合させたものである。
すなわち、紐体４０を結束補助体５０に対して半回転だけ巻廻したことにより、その抵抗を増加させて抜け止めの作用を強化したものである。
図８の例では半回転の巻廻しであるが、１回転の巻廻しで更に抜け止め効果を向上させることができるものである。【００１１】  本発明の結束具に用いる結束補助体のその他の例について図面を参照して説明する。図９は結束補助体の第３実施例を示す斜視図、図１０は図９と紐体との組合状態を示す説明図である。
図９で示すように、第３実施例で示す結束補助体６０は、結束部分を蝶結びにイメージした形状にしている。
すなわち、中央部となる結束部分の上側は１対の長円形の輪形であり、その下側は左右に開いた端部を有する対称形である。
このような蝶結び形の中央部分には、貫通穴６２を設けると共に、長円形の輪形内のそれぞれに、図示しない紐体の抜け防止手段６４を設けている。
この結束補助体６０に設けた抜け防止手段６４は、その一端を尖らせた長円形よりなる雨垂形の差込６５と、この差込の尖った部分に設けた止孔６６とからなる。
このような抜け防止手段６４も、前述例と同様に差込６５に、紐体の先端部を通して、止孔６６側に嵌合させることで取付けるものである。
すなわち図１０で示すように、結束補助体６０の表面側に、輪形４５を形成した紐体４０の図中の実線で示す終端部を、一方の抜け防止手段６４を形成する差込６５に対して、図中の裏面側から挿入して、その止孔６６に掛止させる。
更に、図中の表面側に突出している先端部は、もう一方の抜け防止手段６４に対して、図中の表面側から差込６５に挿入して止孔６６に掛止する。この状態での紐体の終端部は、図中で示す結束補助体６０の裏面側に位置している。
このように紐体４０の終端部を、２つの抜け防止手段６４に掛止させることによって、紐体４０を強い力で引っ張ると、紐体４０が止孔６６に挿入しただけの状態であっても、その終端部が抜けることなく、荷に対して強力な締付けを可能とするものである。
この抜け防止手段６４は、１つ使う使用例でも結束可能なことは当然である。【００１２】  本発明の第４実施例の結束補助体７０について、図面を参照して説明する。図１１は本発明の第４実施例の結束補助体を示す斜視図、図１２は図１１の結束補助体を開いた状態で示す斜視図である。
図１１で示すように、第４実施例で示す結束補助体７０は、その一辺にヒンジ７９を介して設けた１対の板体で形成した補助体本体７１よりなり、その対向する両側に貫通して、図示しない紐体を通す貫通穴７２と、この貫通穴に通した紐体の終端部を固定するための抜け防止手段７４とを設けている。
このような結束補助体７０は、図１２で示すようにヒンジ７９によって開閉可能であり、１対の補助体本体７１を重ね合すことによって、貫通穴７２と抜け防止手段７４とを、形成することができる。
すなわち、貫通穴７２は図１２で示すように、１対よりなる補助体本体７１の両端側で、ヒンジ７９を中心にした位置に、溝７３をそれぞれ設けたものである。この溝７３同士を重ね合せることで、貫通穴７２を形成し、図中の点線で示す紐体が、この貫通穴７２内を移動できる状態で設けている。
また、１対の補助体本体７１には、ヒンジ７９を中心としたその内側に、第１の挟込み７５と、第２の挟込み７６とを設けて、補助体本体７１を重ね合せした場合に、紐体終端部が移動して外れないように、抜け防止手段７４としている。【００１３】  このような第１の挟込み７５と第２の挟込み７６とについて説明する。
図１２で示すように第１の挟込み７５は、一定の間隔を設けて配設した複数の凸溝よりなる。
第２の挟込み７６は、第１の挟込み７５を形成する凸溝に対応した凹溝よりなり、この凹溝は凸溝よりも幅広で、両者間には紐体を挟込む作用を持たせている。
また、使用する紐体の太さによって、両者の間隔に配慮することは当然のことである。このような抜け防止手段７４の形状は、凸溝や凹溝に限らずに、複数の小突起とこれに対向配置した穴であったりしても良く、丸紐や平紐に対応した抜け防止が可能な、形状や間隔であれば良い。
更に１対の補助体本体７１の中央部には、両者を係合するための突起８０とその嵌合穴８２とが設けられており、１対の補助体本体７１を重ね合せすることで、両者が互いに離間しないようにしている。
尚、突起８０と嵌合穴８２とは、その形状を限定するものではなく、１対の補助体本体７１を嵌合せさせる形状であれば良い。更にその配設位置や配置数に関しても、説明したものに限定されるものではない。【００１４】  このように構成した結束補助体７０を使用するには、図１２の図中の点線で示す紐体４０の一端側を、開いた状態にした補助体本体７１の一方の溝７３内に置くと共に、その終端部を折曲して、例えば第２の挟込み７６上に置くと、輪形４５を形成した状態になる。
この状態で１対の補助体本体７１を重ね合せて、両者が接合する方向に押圧すると、補助体本体７１に設けた突起８０と、嵌合穴８２とが係合して、１対よりなり開いた状態の補助体本体同士が一体化できる。
このような状態は、抜け防止手段７４内に位置する紐体の終端部が、移動しないように固着されると共に、貫通穴７２内の紐体４０は、移動が可能である。
従って、前述例で説明したと同様に、図中の点線で示す輪形４５内に、荷を一周させた紐体４０の他端側を挿入して、折返し方向に引くことによって、荷を結束することができるものである。【００１５】  以上説明した前述例の結束補助体は、図示した形状に限定することなく、動物や植物、その他の形状などの形態にすることはもちろんのこと、紐体の形状や色彩と関連して用いるなどができるものである。
尚、このような結束補助体には、その形状や大きさに配慮すれば、送り先や自社からのメッセージや、コマーシャル等を入れたりすることや、その形状自体を社名マークにすることも可能である。
【図面の簡単な説明】
【００１６】
【図１】  本発明の結束具を示す一部破断斜視図である。
【図２】  図１の分解斜視図である。
【図３】  図１の使用例を示す説明図である。
【図４】  図３の結束途中を示す説明図である。
【図５】  図４の完了状態を示す説明図である。
【図６】  本発明の他の例の結束具を示す一部破断斜視図である。
【図７】  本発明の結束具に用いる第２実施例の結束補助体と、紐体との取付状態を示す説明図である。
【図８】  図７の紐体を取付ける他の例を示す説明図である。
【図９】  結束補助体の第３実施例を示す斜視図である。
【図１０】  図９と紐体との組合状態を示す説明図である。
【図１１】  本発明の第４実施例の結束補助体を示す斜視図である。
【図１２】  図１１の結束補助体を開いた状態で示す斜視図である。
【符号の説明】
【００１７】  １０  結束具
１２  紐体
１４  抜け防止手段
１５  輪形
２０  結束補助体
２２  貫通穴
３０  結束具
４０  紐体
４５  輪形
５０  結束補助体
５２  貫通穴
５４  抜け防止手段
６０  結束補助体
６２  貫通穴
６４  抜け防止手段
７０  結束補助体
７２  貫通穴
７４  抜け防止手段
【図１】
2008155993.tif 000003
【図２】
2008155993.tif 000004
【図３】
2008155993.tif 000005
【図４】
2008155993.tif 000006
【図５】
2008155993.tif 000007
【図６】
2008155993.tif 000008
【図７】
2008155993.tif 000009
【図８】
2008155993.tif 000010
【図９】
2008155993.tif 000011
【図１０】
2008155993.tif 000012
【図１１】
2008155993.tif 000013
【図１２】
2008155993.tif 000014